(57)【要約】【課題】マンションのベランダ等への鳥類の侵入を防止する為に様々な機器材が使用されているがいずれも効果は不十分な物であった。又防鳥ネット設置の場合壁面に穿孔を加えるなど建築物本体に損傷を加えねばならず、更にベランダを閉じ込んでしまう為入居者は強度の閉塞感を感じねばならなかった。又物品の落下事故を未然に防止すべきという観点からベランダ等の手摺以上の高さの部位への金属パイプやレール等の設置は避けねばならなかった。【解決手段】ベランダの外側開放部両端の天井と床の間に伸縮固定可能な支柱複数本を設置しステンレス製のワイヤーを張設するべく、支柱の一方にワイヤーを組み込んだ巻上機を取り付け、他方の支柱にはワイヤーを固定する為の円環を設け各々の支柱間にワイヤーを張設すると同時に、防鳥ネットを吊り下げ防鳥ネットの張設及び開閉を自由に行えるものとした。【選択図】  図１
2004194510.tif 000002
【特許請求の範囲】
【請求項１】
ベランダ等の外側開放部の上方位置の下面と下方位置の上面間に伸縮固定可能な支柱を複数本配置し、前記支柱の上面と下面を前記ベランダ等の外側開放部の上方位置の下面と下方位置の上面間に圧着固定し、前記支柱の上方にワイヤーを張設するべく、前記伸縮固定可能な支柱の一方にワイヤーの巻上機を取り付け、他方の前記伸縮固定可能な支柱にワイヤーを固定する為の円環を設け、各々の前記伸縮固定可能な支柱間にワイヤーを張設し、前記ワイヤーに吊り金具を用いて防鳥ネットを吊り下げることを特徴とする防鳥ネットの張設構造。
【請求項２】
前記伸縮固定可能な支柱は、相互に嵌入可能な複数に分割された柱体で、その嵌入部に固定部を有することを特徴とする請求項1記載の防鳥ネットの張設構造。
【請求項３】
前記伸縮固定可能な支柱の上面と下面を前記ベランダ等の外側開放部の上方位置の下面と下方位置の上面間に両面粘着テープあるいは弾力性に優れる弾性ゴムなどのクッション材を介して圧着固定することを特徴とする請求項1又は2記載の防鳥ネットの張設構造。
【発明の詳細な説明】
【０００１】
【発明の属する技術分野】
本発明はマンションのベランダ等へ飛来したり侵入したり営巣するハトその他の鳥類及び害獣等の侵入防止に関するものである。
【０００２】
【従来の技術】
ベランダ内部への鳥類の侵入を防止する方法としてベランダの外側開放部分にヒートン金具などを埋め込み防鳥ネットを張設したり（例えば特許文献1参照）又は強力な接着剤と両面テープを用いて防鳥ネットを張設したり（例えば特許文献2参照）あるいはカーテンレールを設置した上で防鳥ネットを張設する（例えば特許文献3参照）などの措置がとられている。
【０００３】
【特許文献1】
特開2001-227057号公報     （第1頁、図1）
【特許文献2】
特開2001-45956号公報      （第1頁、図1）
【特許文献3】
実用新案登録  第3038580号公報（第1頁、図1）
【０００４】
【発明が解決しようとする課題】
しかし上記特許文献1や特許文献2に記載されている防鳥ネット張設の方法は鳥類侵入防止の効果はほぼ確実ではあるがベランダの壁面等に穿孔を加えたり、強力な接着剤を付着させるなど建築物本体を汚染したり損傷を加えねばならなかった。又ベランダの外側開放部分全面を防鳥ネットで覆ってしまう為入居者は強度の閉塞感を感じねばならず、日常生活においては洗濯物やフトンなどを自由に干す事すら出来なくなっていた。
尚上記特許文献3に記載されている構成の如くカーテンレールを設置した上で防鳥ネットを張設する場合、閉塞感は緩和されるもののやはり建築物本体に穿孔などの損傷を加えねばならず設置方法についても不安定な高所作業となる為素人が防鳥ネットを張設するのは危険であり技術的にも困難なものであった。
又、最も留意すべき事は、様々な性格を持つ入居者が長期にわたり使用する事となるマンション等のベランダにおいては器物等の落下事故を未然に防止せねばならないという安全上の観点より、ベランダの手摺以上の高さの部位に重量の有る金属パイプやレールなどの器具類を設置すべきではないという事である。
【０００５】
【課題を解決するための手段】
本発明は上記の課題を解決する為になされたものでその構成は、ベランダ等の外側開放部の上方位置の下面と下方位置の上面間に伸縮固定可能な支柱を複数本配置し、前記支柱の上面と下面を前記ベランダ等の外側開放部の上方位置の下面と下方位置の上面間に圧着固定し、前記支柱の上方にワイヤーを張設するべく、前記伸縮固定可能な支柱の一方にワイヤーを組み込んだ巻上機を取り付け、他方の前記伸縮固定可能な支柱にワイヤーを固定する為の円環を設け各々の前記伸縮固定可能な支柱間にワイヤーを張設し、前記ワイヤーに吊り金具を用いて防鳥ネットを吊り下げるもので建築物に損傷を加える事なく安全且容易に防鳥ネットの張設及び撤去を可能とする事を目的とする。
そして、前記伸縮固定可能な支柱は、相互に嵌入可能な複数に分割された柱体で、その嵌入部に固定部を有するもので、ネットを取り付ける伸縮固定可能な支柱の増減や移動を容易とする事ができる。
さらに前記伸縮固定可能な支柱の上面と下面を前記ベランダ等の外側開放部の上方位置の下面と下方位置の上面間に両面粘着テープあるいは弾力性に優れる弾性ゴムなどのクッション材を介して圧着固定して前記支柱の固着力の増強と安定を計っても良い。
【０００６】
【発明の実施の形態】
以下、本発明の実施や形態を実施例を示す図を参照しながら説明する。
図1は各種の伸縮固定可能な支柱1の設置例で伸縮固定可能な外部配線用支柱2（以下、外部配線用支柱と記す）伸縮固定可能な内部配線用支柱3（以下、内部配線用支柱と記す）伸縮固定可能な中継用支柱4（以下、中継用支柱と記す）伸縮固定可能な紐結び用支柱5（以下、紐結び用支柱と記す）等の設置状況及び防鳥ネット41や間仕切用防鳥ネット42の張設状況を示すものである。
各々の伸縮固定可能な支柱1はステンレスなど耐腐蝕性のワイヤー11と前記ワイヤー11を伸ばしたり巻き戻したり固定する為の外部配線用支柱2に取り付ける外部配線用巻上機12又は内部配線用支柱3に取り付ける内部配線用巻上機13あるいは前記ワイヤー11やロープなどを結び付ける為の紐結び用支柱5に付属する紐結び用留め金具14及び付属の部品等にて構成されている。
【０００７】
図2は外部配線用支柱2に外部配線用巻上機12を取りつけ伸縮固定可能な支柱1との間にワイヤー11を張り、防鳥ネット吊り金具18にて防鳥ネット41を吊り下げ張設した例である。
伸縮固定可能な支柱1は伸縮固定可能な支柱の上段部支柱6（以下、上段部支柱と記す）と伸縮固定可能な支柱の下段部支柱7（以下、下段部支柱と記す）と伸縮固定可能な支柱の長さ調節用固定リング8（以下、長さ調節用固定リングと記す）を主要な部品として構成されている。
伸縮固定可能な支柱1の長さは、長さ調節用固定リング8により調節するものとするが長さの調整方法は既に市販されている順ネジと逆ネジを組み合わせて調節する方法あるいはスプリングやジャッキを使用する方法など他の方式を採用しても同様の効果を上げる事ができる。
【０００８】
図3はベランダの外側開放部の延長が長い為にベランダの両端に設置している外部配線用支柱2と内部配線用支柱3の中間部に中継用支柱4を設置したもので前記外部配線用支柱2に取り付けてある外部配線用巻上機12と中継用支柱4をワイヤー11で結び同時に前記内部配線用支柱3に取り付けてある内部配線用巻上機13と中継用支柱4をワイヤー11で結び防鳥ネット41を張設した状況を示す。
尚、防鳥ネット41の開閉は防鳥ネットを手で引っ張り移動する事でも可能だが幅寄せや移動を容易とする為に防鳥ネット移動棒16を取り付けても良い。
【０００９】
図4は外部配線用支柱2に外部配線用巻上機12を設置し防鳥ネット41を張設した状況を示すものでワイヤー11を他方の伸縮固定可能な支柱1に固定した上で伸縮固定可能な支柱に取り付けてある円環17を通し、外部配線用巻上機12にてワイヤー11を巻き戻しワイヤー11と防鳥ネット41を張設する。伸縮固定可能な支柱に取り付ける上下段用固定具31（以下、上下段用固定具と記す）と伸縮固定可能な支柱に取り付ける弾性ゴム製固定具32（以下、弾性ゴム製固定具と記す）はいずれも伸縮固定可能な支柱1の種類を問わず伸縮固定可能な支柱1の先端部上下に取り付ける部品である。上下段用固定具31はプラスチックや硬質ゴムなどの材料を用いて作成する事となるが、定着力や安定性を重視する場合には弾力性に優れるゴムなどを用いた弾性ゴム製固定具32を使用するものとする。
【００１０】
図5は内部配線用支柱3に内部配線用巻上機13を設置し防鳥ネット41を張設した状況を示す。
ワイヤー11と防鳥ネット41の張設方法はワイヤー11を伸縮固定可能な内部配線用支柱に設ける内部通管式固定具21（以下、内部通管式固定具と記す）内に挿入し内部配線用支柱3の内部を通す以外は図4の張設方法に同様である。
内部通管式固定具21はワイヤー11を内部配線用支柱3へ導入する役割を持つと同時に内部配線用支柱3を固定しておく為の部品でもある。
伸縮固定可能な支柱1の上下に取り付ける弾性ゴム製固定具32及び伸縮固定可能な支柱に取り付ける上下段用両面粘着テープ38（以下、上下段用両面粘着テープと記す）は前記伸縮固定可能な支柱1を天井43と床44の間でしっかりと固定できるように定着力と安定性を増す為に用いるものである。特に天井43や床44に凹凸が有ったり、傾斜の有る不安定な箇所へ設置する際には効果大となる。
【００１１】
図6は中継用支柱4及びワイヤー11を設置した場合の状況図である。
ワイヤー11は中継用支柱4に付属する円環17に結び付けるかクランプやスプリングフック28などを活用したワンタッチ金具等を用いて取り付けるものとする。又伸縮固定可能な支柱に設ける円環付回転可能な固定具22（以下、円環付回転可能な固定具と記す）は円環17にワイヤー11を取り付け易くする為に自在に左右回転可能としたものである。又は同様の効果をあげる為に円環17を3個から8個設けても良い。
尚、元気な子供が同居しているなどワイヤー11に強力な引っ張り力や衝撃が及ぶ怖れが高いと思われる場合や伸縮固定可能な支柱1の安定性をより強く求められる場合、あるいは伸縮固定可能な支柱に取り付けるタコ足状補強具35（以下、タコ足状補強具と記す）を設置する事がベランダの使用に支障がない場合には前記タコ足状補強具35を設置する事が出来る。
タコ足状補強具35に設ける伸縮固定可能な支柱に取り付けるタコ足状補強具の補助足36（以下、タコ足状補強具の補助足と記す）の本数は1本でも2本でもそれ以上の複数本数を設置しても良い。
尚タコ足状補強具35は床44と天井43の双方への設置が可能である。
【００１２】
図7と8は伸縮固定可能な支柱1と紐結び用支柱5の間に間仕切用防鳥ネット42を張設した状況を示す図である。
伸縮固定可能な支柱1に付属する円環17に結び付けたワイヤー11を伸縮固定可能な紐結び用支柱の上方先端部に設ける内部貫通式固定具23（以下、貫通式固定具と記す）内の空洞部を通し次に紐結び用支柱5に取り付けられている円環17の内部を通し前記紐結び用支柱5に取り付けられている紐結び用留め金具14に結び付けることによりワイヤー11と間仕切用防鳥ネット42が張設される。
この際紐結び用支柱5の接地力や安定性を増強させる為に伸縮固定可能な支柱1の最下部に取り付けている上下段用固定具31の形状を伸縮固定可能な支柱に取り付ける円錐形固定具33（以下、円錐形固定具と記す）の如く円錐形とし材質はゴムなど弾力性に優れた材料を使用する事とする。
【００１３】
図9と10は伸縮固定可能な支柱1の上方先端部に設けている上下段用固定具31部分を伸縮固定可能な支柱に取り付ける吊下棒取付用兼固定具24（以下、吊下棒取付用兼固定具と記す）に替えその内部にある吊下棒取付用挿入孔26へ間仕切用防鳥ネット吊下棒15を挿入し吊下棒取付用兼固定具24に設けられている吊下棒固定用ネジ穴27へ吊下棒固定用ネジ25をネジ込み前記吊下棒15を固定しその上で間仕切用防鳥ネット42を吊り下げる。
間仕切部に使用する間仕切用防鳥ネット42の使用量は少量且軽量であり人がもたれかかる可能性をも乏しい為あえて伸縮固定可能な支柱1を設ける事なく吊下棒15による張設でも良い。
尚、間仕切板46の部分については安全対策上、間仕切用防鳥ネット42を張設する事は禁止されている為除外して行うものとする。
【００１４】
図11は一方の伸縮固定可能な支柱1と他方の伸縮固定可能な支柱1の間に張設したワイヤー11や防鳥ネット41に人や物がもたれたり、倒れかかったりした場合にいずれかあるいは双方の伸縮固定可能な支柱1が容易に転倒しないように転倒を防止する為の補助部品を示す。
タコ足状補強具35及び伸縮固定可能な支柱に取り付ける回転式タコ足状補強具37（以下、回転式タコ足状補強具と記す）は力がかかり伸縮固定可能な支柱1が引き倒されようとするのを防止する為に1本から8本の伸縮固定可能な支柱に取り付けるタコ足状補強具の補助足36を設けたものである。回転式タコ足状補強具37を設置した理由は伸縮固定可能な支柱1設置の際タコ足補強具の補助足36の取付け方向や取付位置を自由に設定できるように回転可能としたものである。
【００１５】
図12は伸縮固定可能な支柱1の定着性を増す為に前記内部通管式固定具21の上下先端部に弾性ゴム製固定具32又は上下段用両面粘着テープ38あるいは伸縮固定可能な支柱に取り付ける傾斜付固定具34（以下、傾斜付固定具と記す）を取り付けたものである。
弾性ゴム製固定具32は接地面積を広くすると共に使用する材料の持つ柔軟性と弾力性により接地力を分散し安定させる効果が有り又上下段用両面粘着テープ38は接着剤による直接的接着力と粘着剤を2mm〜1cmの厚みとする事による粘りの強化により伸縮固定可能な支柱1の安定力を強化することが出来る。
又伸縮固定可能な支柱に取り付ける傾斜付固定具34は引っ張り方向に対して抵抗力を持つように引っ張り方向と逆方向に向かう程高さや幅など傾斜付固定具34の容量を大きくしている。
尚使用する材料は引っ張り力に対し反発力を増大させるように弾力性を有するゴムなどを用いる事とする。
【００１６】
以下、本発明を構成する部品の特徴について補足説明を加える。
伸縮固定可能な支柱1は強力な突っ張り力（張力）の他に長期の使用と風雨に耐える耐久性を必要とする為耐腐蝕性の金属製あるいは強化プラスチック製とすると同時に伸縮固定可能な支柱1に使用する各種の部品、特に長さ調節用固定リング8及び各部の圧着部材等は同様の耐久力を有する材料を用いる事とする。
【００１７】
ワイヤー11は防鳥ネット41の重量や強風あるいは寒暖差等による影響を受けないように原則として直径1mm〜6mm程の太さを有するステンレス製とし又外部配線用巻上機12や内部配線用巻上機13などの巻上機へのワイヤー11の取付方法はクランプやスプリングフック28など結線や結束の為の専用部品を用いる事とする。
尚外部配線用巻上機12や内部配線用巻上機13などの巻上機の構成や巻上の方法についてはテニスやバレーで使用するネットの巻上機あるいは釣りざお用のリールなどに同じく、クランクとギアとストッパー等を組み合わせ製作する事とする。
【００１８】
防鳥ネット41の材料は耐候性と強靭性に富み吸水性のないナイロン製かポリエチレン製あるいはポリプロピレン製などとするが、容易に取り替える事ができる為、又軽量に越した事はないので防鳥ネット41の糸の太さについては1mm〜3mmもあれば充分である。尚網目のサイズについては一片が25mm〜35mmを基準とするが侵入防止の対象とする動物の個体の大きさにより0.5mm〜50mm位迄など自由に設定する事ができる。
【００１９】
防鳥ネット41の張設方法については、あらかじめ防鳥ネット41の丈（縦面の長さ）をベランダの床44あるいは壁又はフェンス45の上端部分より天井43迄の高さに加える所の各々10cm〜100cm好ましくは20cm〜40cm程長くするものとする。
又防鳥ネット41の底辺部分に5mm〜30mm好ましくは10mm〜20mm程の防鳥ネット41と同素材で作られた安定材としてのロープ29を一体として縫製しておけば防鳥ネット41のバタつきやめくれを防止する事が出来るので伸縮固定可能な支柱1周辺以外は特別に固定する必要はない。防鳥ネット41を閉じる際、通常は防鳥ネット41をベランダの壁又はフェンス45の外側か内側に垂らせば良いが長期間留守にする場合や風雨が激しい場合には紐類あるいはクランプやスプリングフック28などを用いて防鳥ネット41を壁又はフェンス45等に固定する事もできる。
【００２０】
【発明の効果】
ベランダ等の外側開放部の上方位置の下面と下方位置の上面間に伸縮固定可能な支柱を複数本配置し、前記支柱の上面と下面を前記ベランダ等の外側開放部の上方位置の下面と下方位置の上面間に圧着固定し、前記支柱の上方にワイヤーを張設することにより建築物の躯体に穿孔するなどの損傷を加えたり、塗装面を汚染する必要がなく取り付けは簡単であり、不要となれば容易に撤去できる為専門的な技術や工具を有しない人でも防鳥ネットの張設が可能となる。又同様の理由により公団、賃貸マンション、一戸建住宅等あらゆる建築物への防鳥ネット設置が可能となる。
尚、防鳥ネットを開閉自由のカーテン式とした事により在宅中は防鳥ネットを開き、外出中は閉じるなど住人自らが防鳥ネットを張った状態あるいは外した状態を選択する事が出来る為、閉塞感を感じることの無い快適な生活が可能となる。
又不潔なハトなどの糞が飛散する事はなくなり、洗濯物やフトンを干す事も可能となるので賃貸物件としての不動産価値も上昇する。
尚、巻上機を使用する事により締め増し、撤去がより容易となり又何よりもベランダの手摺以上の高さにある壁面や天井部分などに金属パイプやカーテンレールなどの金具や器具を設置する必要がない為物品落下防止という安全上の理由や要請によりベランダへの金属パイプやカーテンレールなどの取付が拒絶された場合でも防鳥ネット設置を可能とする事ができる。
更に防鳥ネットのアミ目やネットの糸の太さなどを変えることにより蚊やその他の飛来昆虫あるいは害獣等の侵入防止、及び台風等強風時の防風対策や飛来物対策も可能となる。
【図面の簡単な説明】
【図1】各種の伸縮固定可能な支柱を用いた防鳥ネット張設状況を示す概観図である。
【図2】ワイヤーを用いて防鳥ネットを張設した状況を示す正面図である
【図3】伸縮固定可能な中継用補助支柱を追加して防鳥ネットを張設した状況を示す正面図である。
【図4】伸縮固定可能な外部配線用支柱に外部配線タイプの巻上機を設置した場合の断面図である。
【図5】伸縮固定可能な内部配線用支柱に内部配線タイプの巻上機を配置した場合の断面図である。
【図6】伸縮固定可能な中継用補助支柱及び付属部品等の設置状況を示す断面図である。
【図7】ベランダ側面部に間仕切用防鳥ネット及び伸縮固定可能な紐結び型支柱を設置した状況を示す側面図である。
【図8】図7に示した伸縮固定可能な紐結び型補助支柱及び付属部品等の詳細を示す断面図である。
【図9】ベランダの側面部に間仕切用防鳥ネット及び（間仕切用防鳥ネットを取り付ける為の）吊り下げ棒を設置した状況を示す側面図である。
【図10】図9に示した間仕切用防鳥ネットを取り付ける為の間仕切用防鳥ネットの吊下棒と前記間仕切用防鳥ネットの吊下棒を固定する為の固定具の設置状況の詳細を示す断面図である
【図11】伸縮固定可能な支柱に転倒防止補助器材を取り付けた状況を示す断面図である。
【図12】伸縮固定可能な支柱に転倒防止補助部品（材料）を取り付けた状況を示す断面図である。
【符号の説明】
1  伸縮固定可能な支柱
2  （伸縮固定可能な）外部配線用支柱
3  （伸縮固定可能な）内部配線用支柱
4  （伸縮固定可能な）中継用支柱
5  （伸縮固定可能な）紐結び用支柱
6  （伸縮固定可能な支柱の）上段部支柱
7  （伸縮固定可能な支柱の）下段部支柱
8  （伸縮固定可能な支柱の）長さ調節用固定リング
11  ワイヤー
12  外部配線用巻上機
13  内部配線用巻上機
14  紐結び用留め金具
15  間仕切用防鳥ネット吊下棒
16  防鳥ネット移動棒
17  円環
18  防鳥ネット吊り金具
21  （伸縮固定可能な内部配線用支柱に設ける）内部通管式固定具
22  （伸縮固定可能な支柱に設ける）円環付き回転可能な固定具
23  （伸縮固定可能な紐結び用支柱の上方先端部に設ける）内部貫通式固定具
24  （伸縮固定可能な支柱に取り付ける）吊下棒取付用兼固定具
25  吊下棒固定用ネジ
26  吊下棒取付用挿入孔
27  吊下棒固定用ネジ穴
28  クランプやスプリングフック
29  安定材としてのロープ
31  （伸縮固定可能な支柱に取り付ける）上下段用固定具
32  （伸縮固定可能な支柱に取り付ける）弾性ゴム製固定具
33  （伸縮固定可能な支柱に取り付ける）円錐形固定具
34  （伸縮固定可能な支柱に取り付ける）傾斜付固定具
35  （伸縮固定可能な支柱に取り付ける）タコ足状補強具
36  （伸縮固定可能な支柱に取り付ける）タコ足状補強具の補助足
37  （伸縮固定可能な支柱に取り付ける）回転式タコ足状補強具
38  （伸縮固定可能な支柱に取り付ける）上下段用両面粘着テープ
41  防鳥ネット
42  間仕切用防鳥ネット
43  天井
44  床
45  壁又はフェンス
46  間仕切板
【図１】
2004194510.tif 000003
【図２】
2004194510.tif 000004
【図３】
2004194510.tif 000005
【図４】
2004194510.tif 000006
【図５】
2004194510.tif 000007
【図６】
2004194510.tif 000008
【図７】
2004194510.tif 000009
【図８】
2004194510.tif 000010
【図９】
2004194510.tif 000011
【図１０】
2004194510.tif 000012
【図１１】
2004194510.tif 000013
【図１２】
2004194510.tif 000014